(57)【特許請求の範囲】
【請求項１】
双方向信号ポートを持つ電話器をベース及びハンドセットを持つ電話器とインターフェースで接続するための装置であって、前記ベースは、スピーカー信号を供給しかつマイクロホン信号を受信するためのベース信号ポートを持ち、前記ハンドセットは、スピーカー信号を受信するためのスピーカー及びマイクロホン信号を提供するためのマイクロホンを持ち、装置は：
ａ．予め決められた数のコンタクトを持つ電話ポートであって、前記ベース信号ポートに電気的に接続するための電話ポートと；
ｂ．予め決められた数のコンタクトを持つハンドセットポートであって、前記マイクロホン及びスピーカーに電気的に接続するためのハンドセットポートと；
ｃ．前記電話器の前記双方向信号ポートに電気的に接続するための電話器ポートと；
ｄ．前記電話ポートと前記ハンドセットポートの間に接続される第１の信号路と；
ｅ．前記電話ポートと前記電話器ポートの間に接続される第２の信号路であって、前記電話ポートに接続される受信信号路及び前記電話ポートに接続される送信信号路を持つ適応回路と、前記受信信号路及び前記送信信号路を双方向信号路に変換するために前記適応回路と前記電話器ポートの間に接続されるコンバーターとを含み、ダイアルトーン信号が検知されるまで前記電話ポートコンタクトの対が選択されて前記受信信号路に接続され、前記適応回路は前記電話ポートから受信される前記ダイアルトーン信号のレベルに従って前記受信信号路の増幅レベルを調整する第２の信号路と；
ｆ．前記第１の信号路を介して前記電話ポートを前記ハンドセットポートに選択的に電気的に接続し、前記第２の信号路を介して前記電話ポートを前記電話器ポートに選択的に電気的に接続するためのリレーと；
を備えることを特徴とする装置。
【請求項２】
前記適応回路は、前記電話ポートコンタクトの対を選択して前記受信信号路内に接続するクロスポイントスイッチマトリックスを含むことを特徴とする請求項１記載の装置。
【請求項３】
前記適応回路は、極性にも拘わらず信号を増幅するために、前記受信信号路内に差動増幅器をさらに備えることを特徴とする請求項２記載の装置。
【請求項４】
前記適応回路は、信号増幅の予め決定された範囲を供給するために、前記差動増幅器に接続される出力自動利得調整回路をさらに備えることを特徴とする請求項３記載の装置。
【請求項５】
前記適応回路は、前記送信信号路に適用され前記受信信号路を介して感知される基準信号のレベルに従って、前記送信信号路の増幅レベルを調整することを特徴とする請求項１記載の装置。
【請求項６】
前記送信信号路は、前記電話ポートコンタクトに送信コンタクトの対を含み、前記基準信号が検知されるまで前記送信コンタクトの対が選択されて前記送信信号路内に接続されることを特徴とする請求項５記載の装置。
【請求項７】
前記適応回路は、前記電話ポートコンタクトのうちの前記送信コンタクトの対を選択して前記送信信号路内に置くクロスポイントスイッチマトリックスを含むことを特徴とする請求項６記載の装置。
【請求項８】
前記適応回路は、前記送信信号路に接続され前記基準信号をフィルターするローパスフィルターをさらに備えることを特徴とする請求項７記載の装置。
【請求項９】
前記送信信号路の増幅レベルがユーザーに調整可能であることを特徴とする請求項７記載の装置。
【請求項１０】
前記送信信号路は、前記出力信号内のノイズのレベルを下げるための手段をさらに備えることを特徴とする請求項７記載の装置。
【請求項１１】
前記適応回路は、受信された信号の不活動性の予め決められた期間の後に、前記インターフェースシステムを低電力消費状態に置くための手段をさらに備えることを特徴とする請求項１記載の装置。
【請求項１２】
前記リレーは、前記電話器のオンフック／オフフック状態に従って制御されていることを特徴とする請求項１記載の装置。
【請求項１３】
双方向信号ポートを持つ電話器をベース及びハンドセットを持つ電話器とインターフェースで接続するための装置であって、前記ベースは、スピーカー信号を供給し、マイクロホン信号を受信するためのベース信号ポートを持ち、前記ハンドセットは、スピーカー信号を受信するためのスピーカー及びマイクロホン信号を提供するためのマイクロホンを持ち、装置は：
ａ．予め決められた数のコンタクトを持つ電話ポートであって、前記ベース信号ポートに電気的に接続するための電話ポートと；
ｂ．予め決められた数のコンタクトを持つハンドセットポートであって、前記マイクロホン及びスピーカーに電気的に接続するためのハンドセットポートと；
ｃ．前記電話器の前記双方向信号ポートに電気的に接続するための電話器ポートと；
ｄ．前記電話ポートと前記ハンドセットポートの間に接続される第１の信号路と；
ｅ．前記電話ポートと前記電話器ポートの間に接続される第２の信号路であって、前記第２の信号路は、前記電話ポートに接続される受信信号路及び前記電話ポートに接続される送信信号路を持つ適応回路と、前記受信信号路及び前記送信信号路を双方向信号路に変換するために前記適応回路と前記電話器ポートの間に接続されるコンバーターとを含み、ダイアルトーン信号が検知されるまで前記電話ポートコンタクトの対が選択されて前記受信信号路に接続される第２の信号路と；
ｆ．前記第１の信号路を介して前記電話ポートを前記ハンドセットポートに選択的に電気的に接続し、前記第２の信号路を介して前記電話ポートを前記電話器ポートに選択的に電気的に接続するためのリレーと；
を備えることを特徴とする装置。
【請求項１４】
前記適応回路は、極性にも拘わらず信号を増幅するために、前記受信信号路内に差動増幅器をさらに備えることを特徴とする請求項１３記載の装置。
【請求項１５】
前記適応回路は、信号増幅の予め決定された範囲を供給するために、前記差動増幅器に接続される出力自動利得調整回路をさらに備えることを特徴とする請求項１４記載の装置。
【請求項１６】
前記送信信号路は、前記電話ポートコンタクトに送信コンタクトの対を含み、基準信号が検知されるまで前記送信コンタクトの対が選択されて前記送信信号路内に接続されることを特徴とする請求項１３記載の装置。
【請求項１７】
前記適応回路は、前記電話ポートコンタクトの前記送信コンタクトの対を選択して前記送信信号路に置くクロスポイントスイッチマトリックスを含むことを特徴とする請求項１６記載の装置。
【請求項１８】
前記適応回路は、前記送信信号路に適用され前記受信信号路を介して感知される基準信号のレベルに従って、前記送信信号路の増幅レベルを調整することを特徴とする請求項１６記載の装置。
【請求項１９】
前記送信信号路の増幅レベルがユーザーに調整可能であることを特徴とする請求項１８記載の装置。
【請求項２０】
前記適応回路は、前記送信信号路に接続され前記基準信号をフィルターするローパスフィルターをさらに備えることを特徴とする請求項１９記載の装置。
【請求項２１】
前記送信信号路の増幅レベルがユーザーに調整可能であることを特徴とする請求項１９記載の装置。
【請求項２２】
前記送信信号路は、前記出力信号内のノイズのレベルを下げるための手段をさらに備えることを特徴とする請求項１９記載の装置。
【請求項２３】
前記適応回路は、受信された信号の不活動性の予め決められた期間の後に、前記インターフェースシステムを低電力消費状態に置くための手段をさらに備えることを特徴とする請求項１３記載の装置。
【請求項２４】
前記リレーは、前記電話器のオンフック／オフフック状態に従って制御されていることを特徴とする請求項１３記載の装置。
【請求項２５】
提供されるローカルループ電話サービス、あるいは、サービスラインからアナログ電話器への構内交換電話サービスに電話インターフェース装置を構成する方法であって：
ａ．  電話ベース及び４線式の分離可能なハンドセットを備える所有者の電話を提供するステップであって、その電話ベースは、音声信号をハンドセットに送信し、ハンドセットから音声信号を受信するための４信号ポートコンタクトを備える信号ポートを持つ、ステップと；
ｂ．  適応インターフェース装置を提供するステップであって、そのインターフェース装置は、４線式ベース信号ポートに接続される電話ポートと；４線式ハンドセットに接続されるハンドセットポートと；前記アナログ電話器に接続される電話器ポートと；前記電話ポートと前記ハンドセットポートの間に接続される第１の信号路と；前記電話ポートと前記電話器ポートの間に接続される第２の信号路であって、前記電話ポートに接続される受信信号路と前記電話ポートに接続される送信信号路を持つ適応回路と、前記受信信号路及び前記送信信号路をアナログ信号路に変換するために前記適応回路と前記電話機ポートの間に接続されるコンバーターとを含み、前記適応回路は、前記電話ポートから受信されるダイアルトーン信号のレベルに従って前記受信信号路における増幅のレベルを調整する第２の信号路と；前記第１の信号路を介して前記電話ポートを前記ハンドセットポートに選択的に電気的に接続しかつ前記第２の信号路を介して前記電話ポートを前記電話器ポートに選択的に電気的に接続するリレーと；を備えるステップと；
ｃ．前記電話サービスラインからの前記ダイアルトーン信号を始めるステップと；
ｄ．前記ダイアルトーンが識別されるまで、前記信号ポートコンタクトの対を選択するステップと；
ｅ．前記信号ポートコンタクトの前記対を含むように前記受信信号路を決定するステップと；
ｆ．前記ダイアルトーン信号を受信基準レベルと比較することによって、前記受信信号路の感度をセットするステップと；
ｇ．前記電話ポートから受信するダイアルトーン信号のレベルを調節するステップと；
を有することを特徴とする方法。
【請求項２６】
請求項２５に記載の方法であって、さらに、
ｈ．前記信号ポートコンタクトの全ての対の組合せを横切るダイアルトーンの検出停止の表示を検知するステップと；
ｉ．前記インターフェース装置のための送信信号路に基準信号を適用するステップと；
ｊ．前記基準信号が識別されるまで前記信号ポートコンタクトの前記対を選択し前記基準信号を検知するステップと；
ｋ．前記送信信号路のための前記信号ポートコンタクトの第２の対を選択するステップと；
ｌ．接続したサイドトーンを介して受信した前記基準信号を送信基準レベルと比較することによって、前記送信信号路の感度をセットするステップと；
を含むことを特徴とする方法。
【請求項２７】
前記送信信号路に適用される前記基準信号は、前記受信信号路を介して感知され、前記基準信号は、前記ベースのサイドトーン特性を介して前記送信信号路に伝わることを特徴とする請求項２６記載の方法。
【請求項２８】
前記受信信号路及び前記送信信号路を前記双方向信号ポートに接続するための双方向信号路に変換するステップをさらに有することを特徴とする請求項２６記載の方法。
【請求項２９】
前記ダイアルトーン信号を始めるステップは、前記電話ベースの前記ハンドセットから前記ハンドセットを外すことによって達成されることを特徴とする請求項２６記載の方法。
【請求項３０】
提供されるローカルループ電話サービス、あるいは、サービスラインから双方向信号ポートを持つアナログ電話器への構内交換電話サービスに電話インターフェース装置を構成する方法であって：
ａ．  電話ベース及び４線式の分離可能なハンドセットを備える電話器を提供するステップであって、前記電話ベースは、前記音声信号をハンドセットに送信し、前記ハンドセットから音声信号を受信するための４信号ポートコンタクトを備える信号ポートを持つ、ステップと；
ｂ．  適応インターフェース装置を提供するステップであって、そのインターフェース装置は、４線式ベース信号ポートに接続される電話ポートと；４線式ハンドセットに接続されるハンドセットポートと；前記アナログ電話器に接続される電話器ポートと；前記電話ポートと前記ハンドセットポートの間に接続される第１の信号路と；前記電話ポートと前記電話器ポートの間に接続される第２の信号路であって、前記電話ポートに接続される受信信号路と前記電話ポートに接続される送信信号路とを持つ適応回路を備え、かつ、前記受信信号路及び前記送信信号路をアナログ信号路に変換するために前記適応回路と前記電話機ポートの間に接続されるコンバーターを備え、前記適応回路は、前記電話ポートから受信されるダイアルトーン信号のレベルに従って前記受信信号路における増幅のレベルを調整する第２の信号路と；前記第１の信号路を介して前記電話ポートを前記ハンドセットポートに選択的に電気的に接続しかつ前記第２の信号路を介して前記電話ポートを前記電話器ポートに選択的に電気的に接続するリレーと；を含む、ステップと；
ｃ．前記電話器から遠隔ホストに電話をかけるステップと；
ｄ．前記遠隔ホストによって供給される基準信号のための前記信号ポートコンタクトを探すステップと；
ｅ．インターフェース装置のために、受信信号路のための信号ポートコンタクトの第１の対を選択するステップと；
ｆ．前記基準信号を基準レベルと比較することによって、前記受信信号路の感度をセットするステップと；
ｇ．前記電話ポートから受信するダイアルトーン信号のレベルに従い前記受信信号路の増幅レベルを調節するステップと；
を有することを特徴とする方法。
【請求項３１】
提供されるローカルループ電話サービス、あるいは、双方向信号ポートを持つアナログ電話器への構内交換電話サービスに電話インターフェース装置を構成する方法であって：
ａ．  電話ベース及び４線式の分離可能なハンドセットを備える電話器を提供するステップであって、前記電話ベースは、前記音声信号を前記ハンドセットに送信し、前記ハンドセットから前記音声信号を受信するための４信号ポートコンタクトを備える信号ポートを持つ、ステップと；
ｂ．  適応インターフェース装置を提供するステップであって、そのインターフェース装置は、４線式ベース信号ポートに接続される電話ポートと；４線式ハンドセットに接続されるハンドセットポートと；前記アナログ電話器に接続される電話器ポートと；前記電話ポートと前記ハンドセットポートの間に接続される第１の信号路と；前記電話ポートと前記電話器ポートの間に接続される第２の信号路であって、前記電話ポートに接続される受信信号路と電話ポートに接続される送信信号路を持つ適応回路を備え、かつ、前記受信信号路及び前記送信信号路をアナログ信号路に変換するために前記適応回路と前記電話機ポートの間に接続されるコンバーターを備え、前記適応回路は、前記電話ポートから受信されるダイアルトーン信号のレベルに従って前記受信信号路における増幅のレベルを調整する第２の信号路と；前記第１の信号路を介して前記電話ポートを前記ハンドセットポートに選択的に電気的に接続しかつ前記第２の信号路を介して前記電話ポートを前記電話器ポートに選択的に電気的に接続するリレーと；を含むステップと；
ｃ．前記信号ポートコンタクトの第１の対を横切る前記ダイアルトーンを検出するステップと；
ｄ．前記ダイアルトーン信号を受信基準レベルと比較することによって、前記受信信号路の感度をセットするステップと；、
ｅ．前記電話ポートから受信したダイアルトーン信号のレベルに従い前記受信信号路の増幅レベルを調整するステップと；
を含むことを特徴とする方法。
【請求項３２】
請求項３１に記載の方法であって、さらに、
ｆ．前記信号ポートコンタクトの前記第１の対を横切る前記ダイアルトーンの検出停止の表示を検知するステップと；
ｇ．前記インターフェース装置のための送信信号路に基準信号を適用するステップと；
ｈ．接続するサイドトーンを介して受信される前記基準信号を送信基準レベルと比較することによって前記送信信号路の感度をセットするステップと；
を含むことを特徴とする方法。
【請求項３３】
前記送信信号路に適用される前記基準信号は、前記受信信号路を介して感知され、前記基準信号は、前記ベースのサイドトーン特性を介して前記送信信号路に伝わることを特徴とする請求項３２記載の方法。
【請求項３４】
前記受信信号路及び前記送信信号路を前記双方向信号ポートに接続するための双方向信号路に変換するステップをさらに有することを特徴とする請求項３２記載の方法。
【発明の詳細な説明】
【０００１】
発明の技術分野
この発明は電話方式の分野に関する。より詳しくは、この発明は、モデム、ファックスモデム、ファクシミリ機、又はテレビ会議装置のような２線式アナログ電話器を電話器の４線式ハンドセットポートを通してその電話器にインターフェースで接続するための適応インターフェースに関する。
【０００２】
発明の背景技術
２線式電話器は、２線式電話ラインを介して電話サービスプロバーダーの電話交換局に接続されるベースユニットを含み、また、４線式ハンドセットケーブルを介して電話ベースに接続されたハンドセットも含む。そのハンドセットケーブルは、４本の電信線を持つ。なぜならば、２線式音声通信のために、ハンドセットが、それぞれが一対の電信線を要求するマイクロホンとスピーカーの両方を含むからである。典型的に、電話ベースは、音声信号をスピーカーに供給し、直流バイアス電圧をマイクロホンに供給する。一方、電話ベースは、マイクロホンから音声信号を受信する。電話器内に含まれる２線／４線コンバーターは、２つの電話交換局信号を４つのハンドセット信号に変換する。加えて、電話器は、電話交換局によって供給される交流ベル音信号を検出するためのベル音検出器、及び、電話器のオンフック／オフフック状態を電話交換局に信号で通信するためのフックスイッチを含む。そのフックスイッチは、電話交換局によって検知される電話器による電話交換局からの直流電流の誘引を制御する。
【０００３】
従来のモデムは、デジタルデータによるアナログ搬送信号を変調することによって、２線式電話ラインを介してデジタルデータを送信する。典型的に、そのデジタルデータは、そのモデムに接続されたコンピューター又はファクシミリ機によって生成される。搬送信号は、電話伝送線路の周波数レンジ内のトーンである。その伝送線路の他端における第２のモデムによる受信において、デジタルデータは、受信された信号を復調することによって再構築される。
【０００４】
経済団体は、多くの場合、その団体内のユーザーに電話をかける電話サービスを提供するための構内交換（ＰＢＸ）を利用する。ＰＢＸが１以上の外部ラインを介して電話サービスプロバイダーに接続されている間、ユーザーのデスク上に設置される電話は、それぞれＰＢＸに接続される。ＰＢＸは、典型的に、着呼をユーザーの電話器に適切に接続し、ユーザーの電話器から外部ラインへ発呼を接続する能力を含む。このようにして、電話サービスのコストを削減するために、ユーザーの電話毎に１回線より少い外部ラインが必要とされるにすぎない。加えて、ＰＢＸは、典型的に、ユーザー間のコールを接続し、ボイスメールサービスを提供するような、様々な特性をＰＢＸのユーザーに提供する。
【０００５】
ＰＢＸのすべての機能を実行するために、ある制御とオーバーヘッドコミュニケーションが、各ユーザーの電話器とＰＢＸの間で起こらなければならない。これらの通信は、典型的に、電話での会話を続行するために必要な双方向音声信号に加えて、デジタル状態及びコマンド信号を含む。例えば、ＰＢＸは、特定の内線へコールを送るか否かを知るために、電話器がその内線に接続されたか否かを知らなければならない。もう一つの例として、ＰＢＸは、ユーザーが電話を始めそして終え、ボイスメールやＰＢＸの他の特性にアクセスするために、ユーザーの電話器と相互に作用しなければならない。
【０００６】
一般に、制御とオーバーヘッドコミュニケーションに利用されるプロトコルは、ＰＢＸの様々な製造業者間で異なる。加えて、音声信号は、デジタル方式でサンプリングされ、様々な異なる圧縮伸長システム（例えば、μ則又はＡ則）にしたがって圧縮され得る。それゆえ、モデム、ファックスモデム、ファクシミリ機、又はテレビ会議装置のような２線式アナログ電話器は、一般に、ＰＢＸからの専用アナログポートなしに直接ＰＢＸとインターフェースで接続することができない。
【０００７】
これは、ＰＢＸ互換電話器に加えて、モデム、ファックスモデム、ファクシミリ機、テレビ会議装置のような一般的に利用可能なアナログ電話器を使用したいＰＢＸのユーザーためには問題である。この問題は、パーソナルコンピューターに接続されたモデムを使用して一般にアクセスされるWorld Wide Webへのアクセスの需要が最近増加していることによって益々強くなった。各そのようなアナログ電話器のために専用の外部ラインを提供することが提案される。しかしながら、この解決は、完全には満足できるものではない。なぜならば、それは、必要とされる外部ラインの数を制限するＰＢＸから結果として生じる節約を否定するからである。もう一つの解決は、ＰＢＸ内のアナログ回線カードと２線式アナログ電話器に接続する別の回線とをＰＢＸに提供することであった。この解決は、各ＰＢＸ互換電話器及びアナログ電話器とＰＢＸとを接続するために別の拡張ラインを設置する必要があるために、高価になり得る。さらに、アナログ回線カードの追加は、より大容量のものを必要とし、それゆえ、さもなければより高いコストが必要とされるであろうＰＢＸを必要とし得る。
【０００８】
もう一つの解決は、電話器のハンドセットポートを通して電話器とモデムをインターフェースで接続する装置を提供することである。例えば、米国特許第４，９０７，２６７号は、ベースユニットとハンドセットを持つ電話器で用いるモデムインターフェース装置を開示する。その電話器は、２線式電話器、あるいは、ＰＢＸでの仕様のため設計された電話器であり得る。そのモデムインターフェース装置を使用するために、ハンドセットは、ベースのハンドセットジャックからプラグを抜かれ、その装置の一端のハンドセットジャックにプラグを挿入される。その装置から拡張するのは、ベースのハンドセットジャックに接続する４線式ケーブルである。その装置は、また、モデムのような２線式電話器に装置を接続する２線式ケーブルを受け入れるためのモジュラージャックを含む。一連のスイッチは、音声とデータ通信の間で選択し、使用される特定の電話器の信号特性にマッチするインターフェース装置を形成するために手動で配置される。
【０００９】
米国特許第４，９０７，２６７に記述される手動により操作可能なスイッチ構成は、カリフォルニア州サンディエゴのアンリミッド・システム会社（Unlimited Systems Corp.）によって製造された２つの製品で改良されている。これらの製品の一番目は、「KONEXX Office Konnector」であり、それは、２線式電話、ファクシミリ機、又はモデムのためのインターフェースを提供するために、電話器のベースとハンドセットに接続される。その装置は、２線式電話、ファクシミリ機、又はモデムが音声とデータ通信の間でスイッチするためにオフフックに置かれるときを検出する。これらの製品の二番目は、「KONEXX Konference」であり、それは、同様に、ベースとハンドセットの間に接続されるが、テレビ会議装置のためのインターフェースを提供する。これらの装置のそれぞれのために、手動により操作可能なスイッチが、使用される特定の電話器の信号特性にその装置を適合させるために、４つのポジションの一つに設けられる。
【００１０】
前述のインターフェース装置の欠点は、スイッチポジションが間違ってセットされるかも知れないことである。加えて、これらのインターフェース装置によって処理され得ない信号特性を持つ電話器と遭遇する可能性がある。例えば、電話ベースへのマイクロホン接続のバイアス電圧レベル、及び、交流信号を結合する特性は、ハンドセットスピーカー接続を介して供給される出力インピーダンス及び信号レベルと同様に、製造業者から製造業者へと変化し得る。また、ハンドセットケーブル内の電信線割り当ても変化し得る。信号帰路は、マイクロホンとスピーカーの両方に提供されるかも知れず、又は、それぞれに２つの専用の電信線を持つかも知れない。電話器の信号特性に相応にマッチするインターフェース装置が得られないと、実行不可能又はデータの喪失を結果として生じさせるかも知れなく、そのような問題を解決するために、専門的能力も意慾も持たないかも知れないそのような装置のユーザーのフラストレーションを結果としてもたらすかも知れない。
【００１１】
必要とされるものは、そのようなインターフェースのユーザーから必要とされる専門的能力を最小にする間に、多種多様な商業的に利用できる電話器の信号特性にマッチする十分な順応性を持つ電話ハンドセットインターフェースである。
【００１２】
発明の開示
本発明は、４線式ハンドセットケーブルを介してハンドセットに接続されたベースユニットを持つ電話器と、ファクシミリ機、ファックスモデム、モデム、又はテレビ会議装置のような２線式アナログ電話器とをインターフェースで接続するのに適したハンドセットインターフェース方法及び装置である。インターフェース装置は、ベースとハンドセットの間の信号特性の相違にも拘わらず、異なる製造業者によって作られた様々な電話器での使用に適している。これは、学習テクニックを開始すると、インターフェース装置が異なる電話製造業者間の電話ベースとハンドセットの間の信号特性のバリエーションにそれ自身自動的に適合するからである。
【００１３】
インターフェース装置は、ほとんどの電話器に備えられる４線式インターフェースの信号特性を学習し、それに適応するための３つの異なるテクニック、すなわち、インターフェース装置内に含まれる制御回路の制御下で実行される自立的なテクニックと、学習プロセスを制御する自動化されたホストシステムにインターフェースを接続するために、電話番号をダイアルするようにユーザーに要求するテクニックと、及び、電話番号をダイアルするようにユーザーに要求し、技術者が学習プロセスを制御するテクニックとを組み込んでいる。その３つのテクニックのうち最後の２つは、自立的なテクニックが完全に成功しない場合に限り使用される。
【００１４】
インターフェース装置を使用するために、ハンドセットは、電話ベースのハンドセットジャックからプラグを抜かれ、インターフェース装置のハンドセットジャックにプラグを挿入される。したがって、その装置は、ハンドセットの４本の電信線に接続される。加えて、４線式ケーブルは、インターフェース装置の電話ベースジャックと電話ベースのハンドセットジャックにプラグを挿入される。したがって、インターフェース装置は、電話ベースの４つのハンドセット接続につながれる。インターフェース装置は、また、２線式アナログ電話器にインターフェース装置を接続する２線式ケーブルを受け入れるためのモジュラージャックを含む。そのジャックは、２線式アナログ電話器とインターフェースで接続するためのインターフェースポートを形成し、好ましくは、ＲＪ−１１タイプのジャックである。
【００１５】
自立的な学習テクニックは、最初に、ユーザーがその受話器受けからハンドセットを持ち上げることを要求する。ユーザーは、それから、インターフェース装置上に配置される瞬時オンボタンを押すことによって、学習テクニックを開始する。ハンドセットが受話器受けに支えられていないので、ダイアルトーンは、電話ベースのハンドセットジャックから２つのスピーカー回線の向こう側に交流電圧として現れる。電話ベースのハンドセットジャックからの４つすべての電信線は、抵抗分路アレイに接続され、クロスポイントスイッチマトリックスを通して経路を定められる。制御回路は、ダイアルトーンが制御回路によって感知されるまで、電話ベースから４本の電信線の対を選択するために、抵抗分路アレイとクロスポイントスイッチマトリックスとを処理する。これは、電話ベースからの４本の電信線のいずれが２つのスピーカー電信線であるかを決定する。クロスポイントスイッチマトリックスは、２つのスピーカー回線を差動増幅器に接続するために形成される。差動増幅器の出力は、選択的にそして徐々に制御回路の制御下で信号を弱める減衰器回路に接続される。その減衰器から、信号は、片端接地の受信出力信号を形成する、自動レベル制御回路の制御下ですべて適切な増幅度まで増幅される。抵抗分路アレイ、クロスポイントスイッチマトリックス、差動増幅器、減衰器、及び自動レベル制御回路は、インターフェース装置内の受信信号路を含む。
【００１６】
４本の電信線の残りの２本は、２つのマイクロホン回線であると考えられる。クロスポイントスイッチマトリックス及び抵抗分路アレイはインターフェース装置内の送信信号路からこれらの信号回線の選択された一つで信号を送信するために用いられる。一方、これら２本の他の信号電信線は、送信信号応答として形成される。その送信路は、送信入力信号を受信するための前置増幅器、前置増幅器の出力に接続された伸長レベル検出回路と電圧制御増幅（ＶＣＡ）回路、ＶＣＡの出力に接続された徐々に選択可能な減衰器（ステップ減衰器）、及び、最後に、ステップ減衰器の出力に接続された出力増幅回路を含む。
【００１７】
送信路を較正するために、トーンが、制御回路から生成され、ＶＣＡと伸長回路に接続された較正回路を介して送信路に加えられる。制御回路は、受信信号路を監視する。電話器のハンドセットポートに存在するサイドトーン特性のために、送信路は、受信信号路を監視することによって、較正され得る。この理由のために、受信信号路は最初に較正される。送信路の成分は、適切な増幅の片端接地の送信出力信号を形成するために、較正信号にしたがって、制御回路によって調整される。
【００１８】
一対のスイッチングリレーは、電話ベースのハンドセットジャックに接続するハンドセットと２線式アナログ電話器の間で切り替えるために供給される。各リレーは、４本の電信線の２本を切り替える。スイッチ制御回路は、直流電流が２線式電話器によって引き出されるか否かにしたがって、リレーの位置を制御する。もし、その電話器がオフフックならば、直流電流が流れるだろう。オフフック状態に応答して、制御回路はスイッチングリレーを形成して、２線式電話器を電話ベースのハンドセットジャックに接続し、ハンドセットジャックからハンドセットを切り離す。もし、２線式電話器がオンフックならば、直流電流は、ごくわずかの量しか流れないだろう。オンフック状態に応答して、制御回路は、スイッチングリレーを形成して、ハンドセットを電話ベースのハンドセットジャックに接続し、その電話器をハンドセットジャックから切り離す。
【００１９】
発明を実施するための最良の形態
図１は、電話器１０２と、ファクシミリ機、ファックスモデム、モデム、又はテレビ会議装置のような２線式アナログ電話器１０４とに接続された本発明におけるインターフェース装置１００の斜視図を示す。電話器１０２は、ハンドセット１０６と電話ベース１０８を含む。電話器１０２は、２線式ローカルループ又は構内交換（ＰＢＸ）とインターフェースで接続するように構成され得る。ハンドセット１０６は、一般に、ハンドセットケーブル１１０を介して電話ベース１０８のハンドセットポート１１２に接続される。しかしながら、図１では、ハンドセットケーブル１１０は、ハンドセットポート１１２から切り離され、インターフェース装置１００のハンドセットポート１１４を介してインターフェース装置１００と接続される。電話ベース１０８のハンドセットポート１１２は、電話ベースケーブル１１８を介してインターフェース装置１００の電話ポート１１６に接続される。
【００２０】
そのインターフェース装置１００上には、プッシュボタン１２０、３つのダイオード１２２〜１２４、及びスライドスイッチ１２６が配置され、それらの機能は、本明細書で説明される。２線式電話器１０４は、ケーブル１３０を介してインターフェース装置１００の２線式電話器ポート１２８に接続される。
【００２１】
図２は、本発明におけるインターフェース装置１００の概略的なブロック図を示す。ハンドセットポート１１４は、好ましくは、ケーブル１１０（図１）を介してインターフェース装置１００を電話ハンドセット１０６（図１）に接続するために供給されるＲＪ−９ジャックを含む。電話ポート１１６は、好ましくは、ケーブル１１８（図１）を介してインターフェース装置１００を電話ベース１０８（図１）に接続するために供給されるＲＪ−９ジャックを含む。２線式電話器ポート１２８は、好ましくは、ケーブル１３０（図１）を介してインターフェース装置１００を２線式電話器１０４に接続するために供給されるＲＪ−１１ジャックを含む。
【００２２】
交流電源からの電力は、交流／直流電源変換回路（図示せず）を介してインターフェース装置１００に電力を供給するために、直流電源ポート１５０に接続される。また、９ボルトバッテリーのようなバッテリー１５２が、インターフェース装置１００に電力を供給するために接続され得る。バッテリー１５２は、交流電源に取って代わり使用され得、又は、停電の場合にはバックアップとして使用され得る。
【００２３】
第１の電源１５４は、直流電源ポート１５０又は９ボルトバッテリーの一つから受電するために接続される。電源１５４は、電話交換局電源をシミュレートして、電話器１０４（図１）に電源を供給するためにポート１２８に接続される。加えて、電源１５４は、第２の電源１５６に電源を供給するために接続される。その電源１５６は、インターフェース装置１００の回路に電力を供給するために配置される。特に、電源１５６は、適応回路２００、好ましくはカスタム集積アナログ回路、メモリ３００、好ましくはＥＥＰＲＯＭ、及び制御回路３０２、好ましくはデジタルマイクロコントローラーに電力を供給するために接続される。好ましい実施の形態では、メモリ３００は、マイクロチップから部品番号９３ＬＣ４６で入手可能である。デジタルコントローラー３０２、アナログ適応回路２００、及びメモリ３００は、好ましくは、直流３〜５ボルトの供給範囲で作動し得る。
【００２４】
ポート１２８は、また、２線／４線コンバーター１５８に接続される。そのコンバーター１５８は、ハンドセットポート１１４で２線式信号（双方向信号路）を別々の送信及び受信信号路１６０、１６２（単方向信号路）に変換する。信号路１６０、１６２は、適応回路２００に接続される。好ましい実施の形態では、信号路１６２は、信号路１６２を介して供給される信号がポート１２８を通してアナログ電話器１０４によって与えられることが予想される様々なＤＴＭＦ、データ、又は音声信号のために、−４０ｄＢＶを越えないことを補償する自動レベル制御（ＡＬＣ）回路１６３を含む。
【００２５】
４線から２線への変換は、適応回路２００から２線／４線コンバーター回路１５８内に含まれる送信増幅器入力へ片端接地の受信出力信号を加えることによって達せられる。この送信増幅の出力は、インターフェースポート１２８（好ましくは、ＲＪ−１１）で２線式（チップリング）ライン上に受信信号を移す。それゆえ、この信号は、ポート１２８において、２線式アナログ電話器１０４（図１）に含まれる送信機から生成された送信出力信号に結合される。２線／４線電信線コンバーター１５８は、また、ポート１２８で２線式（チップリング）電信線上に存在する信号を検出する受信増幅器を含む。この受信増幅器は、また、ポート１２８の２線式（チップリング）ライン上に存在する受信信号の位相から１８０度ずれる２線／４線電信線コンバーター１５８に含まれる送信増幅器からの基準入力を含む。したがって、２線／４線電信線受信増幅器は、２線式アナログ電話器１０４（図１）内に含まれる送信機によって生成される信号だけを通過させ、ポート１２８の２線式（チップリング）ライン上に存在する受信信号をキャンセルする。２線／４線電信線コンバーター内に含まれる受信増幅器の出力は、電話器１０２（図１）のベース１０８（図１）に接続された４線式電話ポート１１６の送信ラインをドライブする前に、適応回路２００によって調節するために適応回路２００の送信チャネルの入力に接続される。２線／４線電信線コンバーター１５８は、好ましくは、集積回路として設けられるが、一方、適応回路２００は、好ましくは、カスタム集積回路として設けられる。２線／４線電信線コンバーター１５８及び２線式アナログ電話器１０４（図１）は、好ましくは、電話交換局シミュレーター電源回路１５４によって両方とも電力を供給される。
【００２６】
ポート１２８は、また、オフフック検出器１６４に接続される。オフフック検出器１６４は、４ポール双投リレー１６６を制御するために、電話器１０４によってポート１２８から直流電流が誘引されたか否かを感知することによって、ポート１２８に接続された電話器１０４（図１）がオンフックであるか、あるいは、オフフックであるかを感知する。リレー１６６は、４本の導線（２つの単方向信号路）を介してハンドセットポート１１４に接続される。リレー１６６は、また、４本の導線（２つの単方向信号路）を介して電話ポート１１６に接続される。加えて、リレー１６６は、４本の導線（２つの単方向信号路）を介して適応回路２００に接続される。
【００２７】
電話器１０４（図１）がオンフックであるとき、リレー１６６は、ハンドセットポート１１４の４本の電信線のそれぞれを電話ポート１１６のそれぞれの電信線に接続し、適応回路２００を電話ポート１１６から切り離す。したがって、電話１０４がオンフックであるとき、電話ベース１０８は、リレー１６６を介してハンドセット１０６（図１）に操作的に接続される。さらに、電話１０４がオンフックであるとき、２線／４線電信線コンバーター１５８及び適応回路２００を介する電話器１０４と電話ベース１０８（図１）の間の信号路は、リレー１６６によって遮られる。
【００２８】
逆に、電話器１０４がオフフックであるとき、リレー１６６は、電話ポート１１６の４本の電信線のそれぞれを適応回路２００に接続し、ハンドセットポート１１４を電話ポート１１６から切り離す。したがって、電話器１０４がオフフックであるとき、電話ベース１０８は、２線／４線電信線コンバーター１５８、適応回路２００、及びリレー１６６を含む信号路を介して電話１０４に接続される。また、電話器１０４がオフフックであるとき、ハンドセット内のマイクロホン及びスピーカーは、好ましくは、活動していない。
【００２９】
リレー１６６は、また、ある状況下でコントローラー３０２によって制御される。特に、コントローラー３０２は、本明細書中で説明する学習テクニックの実行中、リレーを操作する。
【００３０】
第１のユーザー入力１６８は、適応回路２００に接続される。この入力１６８は、好ましくは、適応回路２００を通して送信信号路の送信容量を調整する能力をユーザーに与えるために、スライドスイッチ１２６（図１）を含む。適応回路２００は、また、コントローラー３０２によって制御されるために接続される。コントローラー３０２は、有限状態機械又はマイクロプロセッサを含み得る。好ましい実施の形態では、コントローラー３０２が、格納されたソフトウェアプログラムに従って操作するデジタルマイクロコントローラーユニット（ＭＣＵ）を含む。コントローラー３０２で使用されるパラメーターは、メモリ３００に格納される。状態表示器１７０は、以下により詳細に説明されるように、インターフェース装置１００の操作状態の視覚的表示を提供する。表示器は、好ましくは、ダイオード１２２〜１２４を含む。コントローラー３０２への第２のユーザー入力１７２は、インターフェース装置１００が電話器１０２（図１）の信号特性に適応しようとする間、学習テクニックを開始する。ユーザー入力１７２は、好ましくは、プッシュボタン１２０（図１）を含む。
【００３１】
インターフェース装置１００は、好ましくは、ほとんどの電話器に備えられる４線式インターフェースの特性を学習するための３つの異なるテクニック、すなわち、コントローラー３０２の制御下で実行される自立的なテクニックと、学習プロセスを制御する電話ベース１０８を介して、自動化されたホストシステムにインターフェース装置１００を接続するために、電話番号をダイアルするようにユーザーに要求するテクニックと、及び、電話番号をダイアルするようにユーザーに要求し、技術者が学習プロセスを制御するテクニックとを組み込む。その３つのテクニックのうち最後の２つは、好ましくは、自立的なテクニックが完全に成功しない場合に限り使用される。
【００３２】
図３は、自立的なテクニック（「ＣＯダイアルトーン学習方法」）のフローモデルを図示する。これは、インターフェース装置１００が電話インターフェースの特性を「学習する」ために使用される主たる方法である。「ＣＯダイアルトーン学習方法」は、自動的で、エンドユーザーにとって分かり易い。
【００３３】
インターフェース装置１００に挿入される最初のバッテリーのような最初のシステムパワーアップにおいて、又はプッシュボタン１２０（図１）をユーザーが押すことにおいて、「ＣＯダイアルトーン学習方法」ルーチンは、電話ベースユニット１０８（電話ポート１１６で）からの４線式インターフェース電信線のあらゆる組み合わせでＣＯダイアルトーン信号を検出し、その位置を確認することが可能である。電話器１０２（図１）は、オフフックにされ、これによって、交流ダイアルトーンが電話ポート１１６の４本の電信線の２本の向こう側で現れ、リレー１６６が電話ポート１１６の４本の電信線を適応回路２００に接続する。ＣＯダイアルトーンが検出されるとき、「ＣＯダイアルトーン学習方法」は、十分に使用可能となる。好ましくは、学習プロセスを開始するために要求される唯一の入力は、プッシュボタンを押し（又は、最初に電力を供給し）、ダイアルトーンを受信することである。
【００３４】
「ＣＯダイアルトーン学習方法」は、一回限りの起動プロセスである。成功した「学習シーケンス」が実行された後、適切なビットアドレス可能なラッチ１（図１０）設定は、他のタイプのメモリが使用され得るけれども、好ましくは、コントローラー３０２から読み取られ、ＥＥＰＲＯＭ３００に格納される。次のＣＯダイアルトーンは、ソフトシステムリセットが学習ルーチンを再利用するために実行されなければ、学習シーケンスを可能にしないだろう。「ＣＯダイアルトーン学習方法」は、好ましくは、少なくとも５秒間、ユーザーがプッシュボタン１２０（図１）を押すことによって、又は、間接的にアクセスされるソフトシステムリセットによって、再利用される。
【００３５】
「ＣＯダイアルトーン学習方法」は、ＣＯダイアルトーンの位置で始まる。ＣＯダイアルトーンの位置は、適切な受信ラインに表示する。受信入力ステップ減衰器は、以下に記述されるように、指示レベルに基づいて受信チャネル感度を調整する。次いで、送信ラインが選択され、送信出力ステップ減衰器は、指示レベルに基づいて送信チャネル感度を調整する。
【００３６】
図４は、インターフェース装置１００を自動化されたホストシステム（「自動化された８００学習方法」）に接続するために、電話番号にダイアルするようにユーザーに要求するテクニックのためのフローモデルを図示する。キーとＰＢＸシステムステーションに関する変動率の欠如のために、遭遇するかも知れないサイドトーン特性の広範囲のバリエーションがある。したがって、時折、「ＣＯダイアルトーン学習方法」によって使用される学習方法がインターフェース装置１００の最適な全パフォーマンスを提供しないことがある。「自動化された８００学習方法」は、インターフェース装置１００が４線式電話ポートインターフェースの特性を「学習する」非常に正確な手段を提供する。
【００３７】
「自動化された８００学習方法」は、アクセスされた電話線の末端に位置する「ホスト」システムとエンドユーザーの所在地に位置するインターフェース装置１００との間の相互作用を含む。ユーザーは、指名された電話番号へコールして、「自動化された対応」メッセージによって迎えられる。そのメッセージは、ユーザーが直ちにプッシュボタン１２０（図１）を押し、それから、電話器１０２（図１）のキーパッド上のキーを押すように指示する。キー打ちは、「自動対応」メッセージを遮り、「ホスト」は、インターフェース装置１００にプリアンブルを送る。そのプリアンブルが検出されるとき、「自動化された８００学習方法」は使用可能になる。
【００３８】
「ホスト」とインターフェース装置１００の間の「自動化された８００学習方法」相互作用は、図４に図示されるフローモデルに示され、「ＦＳＫデータ送信ダイアグラム」は、図５に示される。したがって、ＦＳＫモデムは、「自動化された８００学習方法」又は「手動８００学習方法」の間の通信のためにインターフェース装置１００に組み込まれる。「ホスト」は、「自動化された８００学習方法」を開始するために、予め決定された時間、インターフェース装置１００にプリアンブルを送る。「ホスト」は、内部照合と比較し、インターフェース装置１００の適切なセットアップ／較正がチャネルを受信するのを保証するために使用するインターフェース装置１００のセットアップ／較正のために、予め決められた時間、１ｋＨｚの基準信号を送る。インターフェース装置１００は、それから、増加的な振幅で１ｋＨｚの信号を「ホスト」に送る。入ってくる１ｋＨｚの指示レベルが適切であるとき、「ホスト」は、インターフェース装置１００にレベル確認信号を送り、最後の「ハンドシェイク」は、「自動化された８００学習方法」の完了を示す「ホスト」とインターフェース装置１００の間で生成される。
【００３９】
「自動化された８００学習方法」は、「ホスト」によって送られたプリアンブルを探すことから始まる。プリアンブルが見つかると、適切な受信ラインが見つかる。受信チャネル感度は、受信レベル基準との比較で調整される。適切な受信ラインが見つかると、送信ラインが選択され、それらの感度は、送信レベル基準信号との比較で調整される。
【００４０】
第３及び最後のインターフェース方法は、「手動８００学習方法」である。この方法は、前述した学習シーケンスがどちらも特定の電話ポートインターフェースに最適な性能に提供することに失敗するときに用いられる。「手動８００学習方法」は、第２の「ホスト」システムの使用でインターフェース装置１００パラメーターのほとんどすべてを遠隔操作的に調整する能力を持つ訓練された電話器製作技術者と相互に作用する能力をユーザーに提供する。
【００４１】
「ＣＯダイアルトーン学習方法」及び「自動化された８００学習方法」のそれぞれは、システムパフォーマンス基準を満たす最も普通の構成を選択する。時折、これは、すべてのインターフェース環境のためには最適な「ライン構成」選択ではないかも知れない。４線式ハンドセットポートインターフェースのための特別な特性を支配している規定の要求がないので、異なる構成が種々ある。電子電話器が多数の「ライン構成」設定で稼働するハンドセットポートインターフェースを含むことは珍しくない。構成のすべては、許容できるシステムパフォーマンスを提供するが、時には、特定の構成は、好ましくない無線周波数干渉又は電磁干渉により影響されるだろう。これらの場合、代わりの組み合わせが最適なシステムパフォーマンスのために選択されなければならない。
【００４２】
代わりの組み合わせは、指定された電話番号のテクニカルサポートスタッフのメンバー（技術者）へユーザーが電話をかけることによって、実行され得る。問題の兆候を決定した後に、技術者は、適切なシーケンスプリアンブルを送ることによって、操作の「ＣＯダイアルトーン学習方法」、「自動化された８００学習方法」、又は「手動８００学習方法」モードを可能にする能力を持つ。操作の「手動８００学習方法」モードでは、技術者は、直接操作をし、クロスポイントスイッチアレイ２、受信入力ステップ減衰器ＲＸ−２、又は送信出力ステップ減衰器ＴＸ−５（図９及び図１０）と結び付けられたパラメーターを変更する。
【００４３】
電話インターフェース構成の調整され及び調整されない一部のブロック図は、図８に示される。電話会社５２の電話交換局ラインと電話器５４若しくは電話システム５６のいずれかとの間の接続が、制御される。したがって、多くの製造業者による電話器及びシステムは、電話交換局ライン５２にすべて直接接続され得る。電話システム５６とハイブリッド又はデジタル電話器５８の間の接続は、制御されない。電話器５４又は５８とすべてのアクセサリー６０又は６２もまた、制御されない。それゆえ、インターフェースで接続するように設計されていないならば、１つの製造業者のアクセサリーは、もう一つの製造業者の電話器のために操作することができない。
【００４４】
本発明は、異なるプロトコルを持つ、電話器６０若しくは６２と電話ベースユニット５４若しくは５８の間のインターフェースを構成するインターフェース装置１００を提供する。インターフェース装置１００は、音声／データのアクセサリー６０又は６２がそれぞれ異なるプロトコルを持つ、複数の製造業者からの電話ベースユニット５４及び５８とともに用いられることを可能にする。もし、電話器が４線式電話器６２であるならば、２線／４線電信線コンバーター１５８（図２）が必要ないことに注意されたい。
【００４５】
本発明のインターフェース装置１００システムの概略的なブロック図は、図９に示される。インターフェース装置１００の好ましい実施の形態は、フルカスタムアナログ統合適応回路２００，セミカスタムデジタルマイクロコントローラー（ＭＣＵ）３０２、１−ＫシリアルＥＥＰＲＯＭ３００、統合回路２線／４線電信線コンバーター１５８、電話ハンドセット１０６（図１）と接続するための４線式電話ハンドセットポート１１４、電話ベース１０８（図１）と接続するための４線式電話ポート１１６、２線アナログ電話器１０４（図１）と接続するための２線式電話器１２８、及び以下でより詳細に記述する追加の要素を含む。別のアクティブコンバーター又は変圧器のような別の２線／４線コンバーターが適切な改良で代用し得ることが明白であるとしても、２線／４線コンバーター回路１５８は、好ましくは、フィリップス・エレクトロニクス（Philips Electronics）から部品番号ＴＥＡ１０６１で入手可能な制御回路である。
【００４６】
直流電力ポート１５０の第１の端子は、電圧調整器Ｕ６の第１の端子及びコンデンサーＣ４８の第１の端子に接続される。電圧調整器Ｕ６の出力端子は、コンデンサーＣ３０の第１の端子、抵抗器Ｒ２９の第１の端子、抵抗器Ｒ３０の第１の端子、比較器Ｕ５Ｂの供給端子、コンデンサーＣ３５の第１の端子、ＰＮＰバイポーラトランジスターＱ２のエミッタ、ダイオードＤ６のカスケード、ダイオードＤ７のカスケード、リレーＫ１の第１のコイル端子、リレーＫ２の第１のコイル端子、及び電圧調整器Ｕ４の入力端子に接続される。電圧調整器Ｕ４の出力端子は、インターフェース装置１００の様々な他の要素に電力を供給するために、供給ノードＶｃｃを形成する。そして、それは、フィルタコンデンサーＣ３１〜Ｃ３４の第１の端子に接続される。
【００４７】
直流電力ポート１５０の接地端子、コンデンサーＣ４８の第２の端子、電圧調整器Ｕ６の接地端子、コンデンサーＣ３０の第２の端子、コンデンサーＣ３５の第２の端子、及び電圧調整器Ｕ４の接地端子は、それぞれ第１の接地ノードに接続される。コンデンサーＣ３１、Ｃ３２、及びＣ３４の第２の端子は、第２の接地ノードに接続される。コンデンサーＣ３３の第２の端子は、第３の接地ノードに接続される。抵抗器Ｒ４４は、第１の接地ノードと第２の接地ノードの間に接続される。抵抗器Ｒ５１は、第２の接地ノードと第３の接地ノードの間に接続される。
【００４８】
２線式電話器ポート１２８の第１の端子は、抵抗器Ｒ４９の第１の端子に接続される。抵抗器Ｒ４９の第２の端子は、抵抗器Ｒ２９の第２の端子と抵抗器Ｒ３３の第１の端子に接続される。電圧調整器Ｕ６は、好ましくは、１４７Ωの抵抗（Ｒ２９及びＲ４９によって提供される）を通して供給されるとき、電話交換局によって典型的に供給される電力とシミュレートする直流約１０ボルトの調整された電圧を供給する。これは、電話器１０４（図１）の電力要求が満たされることを保証する。電圧調整器Ｕ４は、好ましくは、Ｖｃｃのための直流約４ボルトの調整された電圧を供給する。
【００４９】
抵抗器Ｒ３３の第２の端子は、抵抗器Ｒ３８の第１の端子、そのコンバーター１５８のＬＮ（正のライン）端子、及び抵抗器Ｒ３６の第１の端子に接続される。抵抗器Ｒ３８の第２の端子は、コンデンサーＣ４０の第１の端子と抵抗器Ｒ３９の第１の端子に接続される。コンデンサーＣ４０の第２の端子は、そのコンバーター１５８のＩＲ（受信増幅入力）端子に接続される。抵抗器Ｒ３９の第２の端子は、抵抗器Ｒ４６の第１の端子及び抵抗器Ｒ４７の第１の端子に接続される。抵抗器Ｒ４６の第２の端子は、そのコンバーター１５８のＳＬＰＥ（直流抵抗調整）端子、コンデンサーＣ４４の第１の端子、抵抗器Ｒ４８の第１の端子、及び比較器Ｕ５Ｂの非反転入力に接続される。
【００５０】
コンデンサーＣ４４の第２の端子は、抵抗器Ｒ４０の第１の端子及びそのコンバーター１５８のＧＡＳ１（送信増幅利得調整）端子に接続される。抵抗器Ｒ４０の第２の端子は、そのコンバーター１５８のＧＡＳ２（送信増幅利得調整）端子に接続される。そのコンバーター１５８のＧＡＲ（受信増幅利得調整）端子は、抵抗器Ｒ４１の第１の端子、コンデンサーＣ４３の第１の端子、及びコンデンサーＣ４７の第１の端子に接続される。そのコンバーター１５８のＭＩＣ−（反転マイクロホン入力）端子は、コンデンサーＣ４６の第１の端子に接続される。そのコンバーター１５８のＳＴＢ（電流安定装置）端子は、抵抗器Ｒ５０の第１の端子に接続される。そのコンバーター１５８のＲＥＧ（電圧調整器減結合）端子は、コンデンサーＣ４５の第１の端子に接続される。
【００５１】
ポート１２８の第２の端子、抵抗器Ｒ４７の第２の端子、抵抗器Ｒ４８の第２の端子、そのコンバーター１５８のＶＥＥ（負のライン）端子、抵抗器Ｒ５０の第２の端子、並びに、コンデンサーＣ４５及びＣ４７の第２の端子は、第１の接地ノードに接続される。コンデンサーＣ４６の第２の端子は、第３の接地ノードに接続される。抵抗器Ｒ３６の第２の端子は、そのコンバーター１５８のＶＣＣ（正の供給減結合）端子及びコンデンサーＣ３９の第１の端子に接続される。
【００５２】
抵抗器Ｒ３０の第２の端子は、比較器Ｕ５Ｂの反転入力、抵抗器Ｒ３５の第１の端子、及びコンデンサーＣ３８の第１の端子に接続される。抵抗器Ｒ３５の第２の端子、コンデンサーＣ３６の第２の端子、比較器Ｕ５Ｂの接地端子、及びコンデンサーＣ３９の第２の端子は、第１の接地ノードに接続される。
【００５３】
比較器Ｕ５Ｂの出力は、抵抗器Ｒ３１の第１の端子及び抵抗器Ｒ３４の第１の端子に接続される。抵抗器Ｒ３１の第２の端子は、トランジスターＱ２のベース端子に接続される。トランジスターＱ２のコレクタは、抵抗器Ｒ３２の第１の端子に接続される。抵抗器Ｒ３２の第２の端子は、発光ダイオード１２２のアノードに接続され、それは、好ましくは、緑色の光を放射する。ダイオード１２２のカソードは、第１の接地ノードに接続される。抵抗器Ｒ３４の第２の端子は、ＰＮＰバイポーラトランジスターＱ３のベース端子に接続される。そのトランジスターＱ３のエミッタは、ＮＰＮバイポーラトランジスターＱ４のコレクタ、ダイオードＤ６のアノード、ダイオードＤ７のアノード、リレーＫ１の第２のコイル端子、及びリレーＫ２の第２のコイル端子に接続される。
【００５４】
トランジスターＱ３のコレクタ及びトランジスターＱ４のエミッタは、その接地ノードに接続される。トランジスターＱ４のベース端子は、抵抗器Ｒ３７の第１の端子に接続される。抵抗器Ｒ３７の第２の端子は、コントローラー３０２のＲＥＬＡＹ端子に接続される。トランジスターＱ４は、必要なときに、コントローラー１００がリレーＫ１及びＫ２を手動で作動するのを可能にする。これは、例えば、学習テクニックの実行の間、又はテスト目的のためになされ得る。
【００５５】
ライン２及び３で、適応回路２００は、リレーＫ１の２つの切り替えられた端子、並びに、ライン１及び４で、リレーＫ２の２つの切り替えられた端子に接続される。ハンドセットポート１１４の端子２及び３は、リレーＫ１の２つの代わりの切り替えられた端子に接続され、そのポート１１４の端子１及び４は、リレーＫ２の２つの代わりの切り替えられた端子に接続される。電話ポート１１６の端子２及び３は、リレーＫ１の２つの切り替えられない端子に接続され、そのポート１１６の端子１及び４は、リレーＫ２の２つの切り替えられない端子に接続される。
【００５６】
リレー１６６（図２）は、リレーＫ１及びＫ２を含む。ポート１２８に接続された電話器１０４（図１）がオンフックであるとき、比較器Ｕ５Ｂの出力は、論理的ハイボルテージである。したがって、トランジスターＱ３はオフとなり、リレーＫ１及びＫ２のコイルには、わずかしかあるいは全く電流が流れない。それゆえ、電話器１０４がオンフックであるとき、リレーＫ１及びＫ２は、電話ベース１０８からの４本の電信線がハンドセット１０６の対応する４本の電信線に接続される、図９で示される位置にある。また、適応回路２００からのライン１〜４は、リレーＫ１及びＫ２によって遮られるので、電話器１０４は、ベースユニット１０８から切り離される。
【００５７】
電話器１０４がオフフックであるとき、直流電流は、電話器１０４によってポート１２８から誘引される。これは、比較器Ｕ５Ｂの非反転入力の電圧レベルを減少させる。それゆえ、比較器Ｕ５Ｂの出力は、論理的ローボルテージになる。これは、トランジスターＱ２をオンにして、ダイオード１２２を明るくする。比較器Ｕ５Ｂの出力は、また、トランジスターＱ３をオンにして、それによって、リレーＫ１及びＫ２のコイルに電流が流れ、リレーＫ１及びＫ２の状態を変化する。したがって、電話器１０４がオフフックであるとき、電話ベース１０８からの４本のラインは、適応回路２００を介して電話器１０４に接続される。このインターフェースは、電話ベースポート１１２（図１）からの２線式の各送信（Ｔｘ）及び受信（Ｒｘ）ライン対の確立及び選択を可能にする。加えて、電話器１０４がオフフックであるとき、ハンドセット１０６は、電話ベース１０８から切り離される。
【００５８】
コンバーター１５８のＱＲ＋（非反転出力）端子は、抵抗器Ｒ４１の第２の端子、コンデンサーＣ４３の第２の端子、コンデンサーＣ４の第１の端子、及びコンデンサーＣ５２の第１の端子に接続される。コンデンサーＣ５２の第２の端子は、ＡＬＣ回路１６３のAMP 1 R3 IN端子に接続される。好ましい実施の形態では、ＡＬＣ回路１６３は、部品番号ＳＡ５７１Ｄであり、フィリップス・エレクトロニクスから入手できる。
【００５９】
コンデンサーＣ４の第２の端子は、抵抗器Ｒ９の第１の端子に接続される。抵抗器Ｒ９の第２の端子は、増幅器Ｕ５Ａの反転入力、抵抗器Ｒ７の第１の端子、及びコンデンサーＣ２の第１の端子に接続される。増幅器Ｕ５Ａの非反転入力は、コンデンサーＣ９の第１の端子、抵抗器Ｒ１５の第１の端子、及び抵抗器Ｒ１６の第１の端子に接続される。コンデンサーＣ９の第２の端子及び抵抗器Ｒ１５の第２の端子は、第３の接地ノードに接続される。抵抗器Ｒ１６の第２の端子、ＡＬＣ回路のＶｃｃ端子、及びコンデンサーＣ４９の第１の端子は、供給電圧Ｖｃｃに接続される。コンデンサーＣ４９の第２の端子は、第１の接地ノードに接続される。
【００６０】
増幅器Ｕ５Ａの出力は、コンデンサーＣ２の第２の端子、抵抗器Ｒ７の第２の端子、及びコンデンサーＣ５０の第１の端子に接続される。コンデンサーＣ５０の第２の端子は、抵抗器Ｒ５３の第１の端子及びＡＬＣ回路１６３のRect IN 1端子に接続される。抵抗器Ｒ５３の第２の端子は、第１の接地ノードに接続される。
【００６１】
ＡＬＣ回路１６３のAMP 2 R3端子は、コンデンサーＣ５５の第１の端子に接続される。ＡＬＣ回路のRect Cap 1端子は、コンデンサーＣ５６の第１の端子に接続される。ＡＬＣ回路１６３のTHD 1端子は、コンデンサーＣ５７の第１の端子に接続される。ＡＬＣ回路１６３のTHD 2端子は、コンデンサーＣ５８の第１の端子に接続される。ＡＬＣ回路１６３のRect IN 2端子は、抵抗器Ｒ５６の第１の端子に接続される。コンデンサーＣ５５〜Ｃ５９の第２の端子、抵抗器Ｒ５６の第２の端子、及びＡＬＣ回路１６３のGND端子は、第１の接地ノードに接続される。
【００６２】
ＡＬＣ回路１６３のOUT 1端子は、コンデンサーＣ５１の第１の端子、コンデンサーＣ５３の第１の端子、抵抗器Ｒ５４の第１の端子、及びコンデンサーＣ４２の第１の端子に接続される。コンデンサーＣ５１の第２の端子は、ＡＬＣ回路１６３のGain Cell IN端子に接続される。コンデンサーＣ５３の第２の端子及び抵抗器Ｒ５５の第２の端子は、ＡＬＣ回路の-IN 1端子に接続される。ＡＬＣ回路のOUT 2端子は、ＡＬＣ回路１６３の-IN 2端子に接続される。
【００６３】
コンデンサーＣ４２の第２の端子は、適応回路２００のTX INPUT（送信入力）端子に接続される。コンバーター１５８のMIC+（非反転マイクロホン入力）端子は、コンデンサーＣ４１の第１の端子に接続される。コンデンサーＣ４１の第２の端子は、抵抗器Ｒ２２の第１の端子、コンデンサーＣ１４の第１の端子、及び適応回路２００のRX OUT（出力）端子に接続される。抵抗器Ｒ２２の第２の端子は、抵抗器Ｒ２５の第１の端子及びコンデンサーＣ１６の第１の端子に接続される。抵抗器Ｒ２５の第２の端子は、第３の接地ノードに接続される。コンデンサーＣ１６の第２の端子は、適応回路２００のALC IN（自動レベル制御）端子に接続される。
【００６４】
２線／４線コンバーター１５８は、（ポート１２８からの）そのＩＲ端子における双方向信号をMIC+（入力）及びQR+（出力）端子における一対の単方向信号に変換する。２線／４線コンバーター１５８は、コンバーター回路１５８のLN端子において存在する双方向の送信及び受信信号を分離する（送信信号はポート１２８からであるが、受信信号は適応回路２００からである）。ポート１２８からの送信信号は、コンバーター１５８のIR入力端子を介してコンバーター１５８内の受信増幅器に接続される。この増幅器から出力される増幅された単方向信号は、コンバーター１５８のQU+出力端子に向けられる。適応回路２００からの片端接地の単方向受信出力信号は、コンバーター１５８のMIC+入力端子を介してコンバーター１５８内の送信増幅器に加えられる。この増幅器の出力は、ポート１２８に接続された電話器１０４（図１）のための受信信号としてコンバーター１５８のIN端子で現れる。
【００６５】
２線から４線への変換は次のようにして達成される。すなわち（コンバーター１５８のIR入力端子における）受信増幅器は、また、コンバーター１５８のLN端子における出力信号の位相から１８０°ずれた（コンバーター１５８のMIC+入力端子における）送信増幅器からの基準入力を得、それによって、効果的に、コンバーター１５８送信増幅器信号をキャンセルし、ポート１２８を介して電話器１０４（図１）から受信される信号のみを通す。単方向信号は、そのRX OUT（出力）及びTX INPUT（入力）端子それぞれにおいて、適応回路２００に接続される。出力RX OUTは、また、適応回路２００の入力ALC INに接続される。図１０を参照してより詳細に説明すると、適応回路２００内の自動レベル制御（ＡＬＣ）ブロックRX-5は、大きな、潜在的に有害な信号のための圧縮機としての機能を果たす。
【００６６】
適応回路２００のRX1 OUT端子は、抵抗器Ｒ１１の第１の端子、抵抗器Ｒ５１の第１の端子、及びコンデンサーＣ１２の第１の端子に接続される。コンデンサーＣ１２の第２の端子は、適応回路２００のRX1 IN端子に接続される。適応回路２００のRX2 OUT端子は、抵抗器Ｒ１１の第２の端子、抵抗器Ｒ５２の第１の端子、及びコンデンサーＣ８の第１の端子に接続される。コンデンサーＣ８の第２の端子は、適応回路２００のRX2 IN端子に接続される。抵抗器Ｒ５１の第２の端子は、抵抗器Ｒ５２の第２の端子及びコンデンサーＣ３の第１の端子に接続される。
【００６７】
コンデンサーＣ３の第２の端子は、抵抗器Ｒ８の第１の端子に接続される。抵抗器Ｒ８の第２の端子は、コントローラー３０２のWAKETONE端子に接続される。バッテリー電力を稼働しているとき電力を節約するために、コントローラー３０２は、電話器１０２が使用中でないときのような、使用中でないときスリープモードに入る。ライン電力（バッテリーからではない）で稼働しているとき、スリープモードは、効力をなくされ得る。コントローラー３０２は、（約２４ＫＨｚで）超可聴周波数信号を生成する。それは、アクティブになるために、適応回路２００にWAKETONE端子を介して通知する。加えて、電話器１０２から受信された信号は、そのRX1 IN及びRX2 IN端子を介して適応回路に再度加えられる。
【００６８】
適応回路２００のRX VC IN端子は、抵抗器２３の第１の端子及び抵抗器Ｒ２４の第１の端子に接続される。抵抗器Ｒ２３の第２の端子は、適応回路２００のVREFCAP端子、コンデンサーＣ２９の第１の端子、抵抗器Ｒ２６の第１の端子、スイッチ１２６の第１の切換端子、及びコントローラー３０２のREF1端子に接続される。抵抗器Ｒ２４の第２の端子は、第３の接地ノードに接続される。コンデンサーＣ２９の第２の端子は、第１の接地ノードに接続される。
【００６９】
RX VC IN端子は、受信チャネル電圧制御増幅器（ＶＣＡ）回路ＲＸ−３（図１０）のために入力された直流制御電圧である。ＶＣＡ回路ＲＸ−３の利得は、RX VC IN端子に渡される決定された直流レベルであり、適応回路２００によって生成された直流２．２５Ｖの基準レベル（REF1）に参照される。好ましくは、ＶＣＡ回路ＲＸ−３の利得は、その利得が適切な修正で調整可能なユーザーであるように設定され得るけれども（例えば、電位差計を含む）、Ｒ２６及びＲ２７の抵抗分割器によって決定される。
【００７０】
適応回路２００のSLP2端子は、コンデンサーＣ２５の第２の端子に接続される。適応回路２００のSLEEP端子は、コンデンサーＣ２７の第１の端子に接続される。コンデンサーＣ２７の第２の端子は、第２の接地ノードに接続される。コンデンサーＣ２７は、電力を節約するためのスリープモードに入る前に、適応回路２００の不活動性期間をセットする。
【００７１】
適応回路２００のALC TC1端子は、コンデンサーＣ２１の第１の端子に接続される。適応回路２００のALC TC2端子は、コンデンサーＣ２２の第１の端子に接続される。コンデンサーＣ２１の第２の端子及びコンデンサーＣ２２の第２の端子は、第３の接地ノードに接続される。コンデンサーＣ２１及びＣ２２は、適応回路２００内の自動レベル制御（ＡＬＣ）ブロックＲＸ−５（図１０）のための時定数をセットする。
【００７２】
適応回路２００のVREF端子は、コンデンサーＣ２６の第１の端子に接続される。適応回路２００のVCC端子は、コンデンサーＣ２８の第１の端子に接続される。適応回路２００のXPND1端子は、コンデンサーＣ１９の第１の端子及び抵抗器Ｒ５７の第１の端子に接続される。適応回路２００のXPND2端子は、コンデンサーＣ２０の第１の端子に接続される。適応回路２００のTX FILT2端子は、コンデンサーＣ２３の第１の端子に接続される。適応回路２００のMUTE CAP端子は、コンデンサーＣ２４の第１の端子に接続される。コンデンサーＣ１９〜Ｃ２６及びＣ２８の第２の端子は、第３の接地ノードに接続される。抵抗器Ｒ５７の第２の端子は、Ｖｃｃに接続される。
【００７３】
適応回路２００のXPDCAP端子は、コンデンサーＣ１１の第１の端子に接続される。適応回路２００のTX2 RET端子は、コンデンサーＣ１３の第１の端子及び抵抗器Ｒ１８の第１の端子に接続される。抵抗器Ｒ１８の第２の端子は、コンデンサーＣ２４Ａ１の第１の端子、コンデンサーＣ２４Ｂ１の第１の端子、及び適応回路２００のTX1 IN端子に接続される。コンデンサーＣ２４Ａ１及びＣ２４Ｂ１の第２の端子は、コンデンサーＣ１５の第１の端子及び適応回路２００のTX OUT端子に接続される。コンデンサーＣ１５の第２の端子は、適応回路２００のTX FILT1端子接続される。コンデンサーＣ１１及びＣ１３の第２の端子は、第３の接地ノードに接続される。
【００７４】
タイミングコンデンサーＣ１１、Ｃ１９〜Ｃ２２、Ｃ２５、及びＣ２７は、適応回路２００内の様々なブロックに接続され、適応回路２００の伸長器、圧縮機、及びスリープブロックに結び付けられた様々な開始及び解除時間を制御する。フィルター、並びに、カップリングコンデンサーＣ１３〜Ｃ１５、Ｃ２３、Ｃ２４Ａ１、及びＣ２４Ｂ１は、チャネル周波数応答特性をセットするために、受信及び送信チャネル増幅器に接続される。ブロッキングコンデンサーＣ２４、Ｃ２６、Ｃ２８、及びＣ２９は、ある信号周波数が適応回路２００の操作を妨害するのを阻止する。
【００７５】
抵抗器Ｒ２６の第２の端子は、抵抗器Ｒ２７の第１の端子及びスイッチ１２６の第２の切換端子に接続される。抵抗器Ｒ２７の第２の端子は、第３の接地ノード及びスイッチ１２６の第３の切換端子に接続される。スイッチ１２６の非切換端子は、送信容量を調整するために、適応回路２００のTX VC IN端子に接続される。送信容量制御スイッチ１２６は、電話器１０２で送信された信号の正確なレベルマッチングのための微調整調節装置として用いられる。送信容量は、好ましくは、３つの増分で調整可能である。そのうちの２つは、スイッチ位置、及び、コントローラー３０２のVREF端子によって供給されるREF1信号のレベルに依存する。特に、REF1がTX VC IN端子に直接接続されるとき、TX VC INが最小容量レベルである直流２．２５Ｖになり、TX VC TN端子が接地されるとき、これは、最大容量レベルになる。
【００７６】
適応回路２００のDATA OUT端子は、コントローラー３０２のDOUT-A端子に接続される。適応回路２００のMODE/ENABLE端子は、コントローラー３０２のM/E端子及び抵抗器Ｒ１７の第１の端子に接続される。抵抗器Ｒ１７の第２の端子は、第２の接地ノードに接続される。適応回路２００のLA4端子は、コントローラー３０２のLA4端子に接続される。適応回路２００のLA3端子は、コントローラー３０２のLA3端子に接続される。適応回路２００のLA2端子は、コントローラー３０２のLA2端子に接続される。適応回路２００のLA1端子は、コントローラー３０２のLA1端子に接続される。適応回路２００のLA0端子は、コントローラー３０２のLA0端子に接続される。
【００７７】
コントローラー３０２は、LA0〜LA4端子を介して適応回路２００内のアドレス指定可能なラッチ１のビットを選択する。MODE/ENABLE信号は、コントローラー３０２がラッチ１に書き込むかあるいは読み出すかのいずれかを選択することを許す。コントローラー３０２は、DATA OUT端子を介してラッチ１からデータを読み出す。コントローラー３０２は、DATA IN端子を介してラッチ１にデータを書き込む。
【００７８】
適応回路２００のRX REF OUT端子は、適応回路２００が電話ベース１０８（図１）から受信する入力信号のサンプルを提供するために、コントローラー３０２のA/D IN（アナログ／デジタル）入力に接続される。コントローラー３０２は、適切なライン構成が選択されているかを決定し、受信及び送信チャネル感度を制御するために、この情報を使用する。
【００７９】
コントローラー３０２のRESET端子及び適応回路２００のRESET入力は、電源投入リセット回路及びスイッチ２５０に接続される。電源投入リセット回路２５０は、抵抗器Ｒ１〜Ｒ３、コンデンサーＣ１、及びＰＮＰバイポーラトランジスターＱ１を含む。抵抗器Ｒ１の第１の端子は、RESET端子及びトランジスターＱ１のコレクタに接続される。トランジスターＱ１のエミッタは、抵抗器Ｒ２の第１の端子及びコンデンサーＣ１の第１の端子に接続される。トランジスターＱ１のベース端子は、抵抗器Ｒ２の第２の端子、コンデンサーＣ１の第２の端子、及び抵抗器Ｒ３の第１の端子に接続される。抵抗器Ｒ１の第２の端子及び抵抗器Ｒ３の第２の端子は、第２の接地ノードに接続される。リセット入力２５０は、電力が取り除かれた後に再び加えられる時のような、インターフェース装置１００のパワーアップにおいて賦活される。以下に説明されるように、これは、学習テクニックが成功しなかったために失敗モードに入れられる場合において、インターフェース装置１００をリセットする。
【００８０】
適応回路２００のTX REF IN端子は、コントローラー３０２のTX REF端子に接続される。コントローラー３０２からの信号TX REFは、コントローラー３０２が、送信ライン及び送信チャネル感度設定の適切な選択を容易にするために、適応回路２００を通して１ＫＨｚ較正送信トーンを提供することを許す。適応回路２００のTX REF IN端子は、また、「手動８００学習方法」の実行の間及び「自動化された８００学習方法」の間、「ホスト」と通信するために利用される適応回路２００内に含まれるＦＳＫモデム用の入力端子である。
【００８１】
インターフェース装置をホストシステム又はローカルコンピューターに連続的に接続するためのホストポートジャックＪ１は、４つのピンを含む。そのホストポートジャックは、例えば、システムパラメーターを制御し、コンピューター化された製造システムテストの間、システムからの実行データを得るために用いられ得る。ジャックＪ１の第１のピンは、抵抗器Ｒ４の第１の端子に接続される。その抵抗器の第２のターミナルは第２の接地ノードに接続される。ジャックＪ１の第２のピンは、コントローラー３０２のTXD_H端子に接続される。ジャックＪ１の第３のピンは、第２の接地ノードに接続される。ジャックＪ１の第４のピンは、ＶＣＣに接続される。
【００８２】
緑色の発光ダイオード１２３のアノード及び赤色／オレンジ色の発光ダイオード１２４のアノードは、ＶＣＣに接続される。そのダイオード１２４のカソードは、抵抗器Ｒ６の第１の端子に接続される。抵抗器Ｒ６の第２の端子は、コントローラー３０２のピン３６に接続される。ダイオード１２３のカソードは、抵抗器Ｒ５の第１の端子に接続される。抵抗器Ｒ５の第２の端子は、コントローラー３０２のピン３７に接続される。好ましい実施の形態では、ダイオード１２３及び１２４は、単一の装置パッケージに統合される。
【００８３】
ダイオード１２３及び１２４は、学習プロセスの実行の間、あるいは、インターフェース装置１００を適切に構成するための学習プロセスが失敗する以外は、通常オフである。プッシュボタン１２０が５秒間押されるとき、緑色のダイオード１２３は、それを示すために、１秒間に約２回フラッシュを始める。もし、学習プロセスが適応回路２００を適切に構成するのに失敗したならば、インターフェース装置は、エラーモードに入り、そこでは、赤色／オレンジ色ダイオード１２４がそれを示すようにフラッシュし始める。インターフェース装置１００は、エラーモードを脱するためにリセット回路２５０によってリセットされる。それから、他の学習テクニック（「自動化された８００方法」及び「手動８００方法」）の一つの実行が特定の電話器が使用されるための適切に構成されたインターフェース装置１００で結果として行われると期待される。
【００８４】
コントローラー３０２のD1〜E2端子は、１Ｋ直列記憶装置３００のDI（データＩＮ）端子に接続される。好ましい実施の形態では、別のタイプのメモリが利用され得ることは明白であるけれども、記憶装置３００は、ＥＥＰＲＯＭである。コントローラー３０２のCLK-E2端子は、記憶装置３００のクロック入力CLKに接続される。コントローラー３０２のCS端子は、記憶装置３００のCS端子及び抵抗器Ｒ２８の第１の端子に接続される。抵抗器Ｒ２８の第２の端子及び記憶装置３００のORG端子は、第２の接地ノードに接続される。記憶装置Ｕ４（３００の間違い？）の出力端子DO（データアウト）は、コントローラー３０２のDO-E2端子に接続される。
【００８５】
コントローラー３０２のXOUT端子は、抵抗器Ｒ１０の第１の端子及び発信器Ｙ１の第１の端子に接続される。抵抗器Ｒ１０の第２の端子及び発信器Ｙ１の第２の端子は、コントローラーのXIN端子に接続される。発信器Ｙ１の接地端子は、第２の接地端子に接続される。発信器Ｙ１は、好ましくは、インターフェース装置１００の全システムタイミングを制御するために、４ＭＨｚのクロック信号を生成する水晶発振器である。
【００８６】
代わりの実施の形態では、発信器Ｙ１は、学習手順の実行中だけ利用されるが、約３２．７ＫＨｚのクロック信号を生成する第２の発信器Ｙ２は、他の期間中インターフェース装置１００の全システムタイミングを制御するために利用される。このより遅いクロックの使用は、電力消費を削減する。好ましい実施の形態では、コントローラー３０２のSRDY、SCLK、SOUT、及びSIN端子は、利用されない。
【００８７】
コントローラー３０２のRST-SW端子は、抵抗器Ｒ２１の第１の端子、コンデンサーＣ１７の第１の端子、及びリセットスイッチＳ１の第１の端子に接続される。抵抗器Ｒ２１の第２の端子は、供給ノード、ＶＣＣに接続される。スイッチＳ１の第２の端子及びコンデンサーＣ１７の第２の端子は、第２の接地ノードに接続される。スイッチＳ１は、インターフェース装置１００が電話器１０２の信号特性を「学習する」ように、３つの「学習シーケンス」の適切な一つを作動するソフトシステムリセットを開始する。
【００８８】
コントローラー３０２のMUTE-SW端子は、抵抗器Ｒ２０の第１の端子に接続される。抵抗器Ｒ２０の第２の端子は、供給ノードＶＣＣに接続される。MUTE-SW端子は、電話器１０４によって生成された信号の音を弱めることを可能にし得るが、図９に示されるように、この音を弱める機能は、割り込み禁止状態にするために構成される。
【００８９】
適応回路２００の好ましい実施の形態のシステムブロック図は、図１０に示される。適応回路２００は、好ましくは、電話ベース１０８に直接インターフェースで接続するように設計されたフルカスタム混成（アナログ及びデジタル）信号集積回路であり、図９に示されるように、コントローラー３０２によって制御される。
【００９０】
適応回路２００内に、３２ビットアドレス指定可能なラッチ１は、適応回路２００のピンLA0〜LA4に接続された入力BA0〜BA4を含む。３２ビットアドレス指定可能なラッチ１の入力DATA IN及び出力DATA OUTは、それぞれ、適応回路２００のピンDATA IN及びDATA OUTに接続される。ラッチ１の可能な入力ENABLEは、モードラッチ４及び適応回路２００のピンMODE/ENABLEに接続される。ラッチ１のリセット入力RESETは、モードラッチ４及び適応回路２００のピンRESETに接続される。モードラッチ４は、ピンENABLE及びRESETからの信号によって制御され、適応回路２００が作動している電流モードをセーブする。ラッチ１の出力b0〜b15は、４×４クロスポイントスイッチアレイ２を制御するために接続される。ラッチ１の出力b16〜b18は、受信入力マルチプレクサー５を制御するために接続される。ラッチ１の出力b19〜b21は、送信出力マルチプレクサー６を制御するために接続される。ラッチ１の出力b22は、受信／送信、無能／可能制御信号を供給する。ラッチ１の出力b23は、切換可能なダイアルトーンフィルターＲＸ−６の入力ONに接続される。ラッチ１の出力b24は、フリップフロップ７の入力PR、マルチプレクサー９の入力A、及び切換可能なダイアルトーンフィルターＲＸ−６のクロック入力CLKに接続される。ラッチ１の出力b25は、フリップフロップ７の入力C及びマルチプレクサー９の選択入力に接続される信号S/H SPEEDを供給する。ラッチ１の出力b26〜b31は、１５０Ω分路選択アレイ３を制御するために接続される。
【００９１】
ライン１〜４は、分路アレイ３への入力として接続される。分路アレイ３は、また、スイッチアレイ２に接続される。スイッチアレイ２の出力は、出力受信信号を供給するために、適応回路２００のピンRX1 OUT及びRX2 OUTに接続される。スイッチアレイ２の入力は、送信信号を受信するために、適応回路２００のピンTX1 IN及びTX2 RETに接続される。マルチプレクサー５の出力は、受信入力ステップ減衰器ＲＸ−２の入力D0、D1、及びD2として接続される。制御入力MRX-1、2、3、（LA0、LA1、及びLA2）、並びにBITS b16、b17、b18は、マルチプレクサー５に接続される。マルチプレクサー６の出力は、送信出力ステップ減衰器ＴＸ−５の入力D0、D1、及びD2として接続される。制御入力MTX-1、2、3、（LA0、LA1、及びLA2）、並びにBITS b19、b20、b21は、マルチプレクサー６に接続される。モードラッチ４の出力MODEは、マルチプレクサー５及び６の選択制御入力に接続される。
【００９２】
適応回路２００の受信入力ピンRX1 IN及びRX2 INは、受信入力差動増幅器ＲＸ−１への入力として接続される。その増幅器ＲＸ−１の出力は、受信入力ステップ減衰器ＲＸ−２への入力として接続される。その減衰器ＲＸ−２の出力は、受信電圧制御増幅器（ＶＣＡ）ＲＸ−３への入力、切換可能なダイアルトーンフィルターＲＸ−６への入力として接続される。
【００９３】
適応回路２００の受信電圧制御ピンRX VC INは、受信ＶＣＡ  ＲＸ−３への制御入力として接続される。適応回路２００の自動レベル制御（ＡＬＣ）ピンALC TC1、ALC TC2、及びALC INは、ＡＬＣ回路ＲＸ−５への入力として接続される。ＡＬＣ回路ＲＸ−５の出力は、受信ＶＣＡ  ＲＸ−３へのＡＬＣ入力として接続される。受信ＶＣＡ  ＲＸ−３の出力は、適応回路２００の受信フィルターピンRX FILT1に、受信出力増幅器ＲＸ−４への入力として接続される。ラッチ１の出力b22は、増幅器ＲＸ−４への受信無能入力として接続される。受信出力信号は、増幅器ＲＸ−４からの出力として供給され、適応回路２００の受信出力ピンRX OUTに接続する。
【００９４】
適応回路２００の送信基準入力ピンTX REF INPUTは、入力として送信基準フィルターＴＸ−１に接続される。ラッチ１の出力b24は、クロック入力としてそのフィルターＴＸ−１に接続される。適応回路２００の送信入力ピンTX INPUTは、入力として送信前置増幅回路ＴＸ−２に接続される。適応回路２００の音を弱めるピンMUTE CAPは、入力として前置増幅回路ＴＸ−２に接続される。ラッチ１の出力b22は、送信イネーブル入力としてフィルターＴＸ−１に、入力として送信ＶＣＡ  ＴＸ−３及び伸長回路ＴＸ−４に接続される。
【００９５】
適応回路２００のピンXPND1 CAP及びXPND2 CAPは、入力として伸長回路ＴＸ−４に接続される。伸長回路ＴＸ−４の出力は、入力として送信ＶＣＡ  ＴＸ−３に接続される。適応回路２００の送信ピンＴＸ  ＶＣＩＮは、送信ＶＣＡ  ＴＸ−３の入力に接続される。送信ＶＣＡ  ＴＸ−３の出力は、入力として送信出力ステップ減衰器ＴＸ−５に接続される。その減衰器ＴＸ−５の出力は、入力として送信出力増幅器ＴＸ−６に接続される。適応回路２００の送信フィルターピンTX FILTT1及びTX FILT2は、その増幅器ＴＸ−６の入力に接続される。送信出力信号は、増幅器ＴＸ−６から出力され、適応回路２００の送信出力ピンTX OUTに接続される。
【００９６】
フリップフロップ７の入力Dは、グランドに接続される。フリップフロップ７の出力Qは、リセット入力として１／２分割回路８及び１／１６分割回路１０に接続される。１／２分割回路８の出力は、入力Bとしてマルチプレクサー９に接続される。マルチプレクサー９の出力Oは、入力として１／１６分割回路１０及びアンチエイリアスフィルター回路ＲＸ−７に接続される。切り替え可能なダイアルトーンフィルター回路ＲＸ−６は、入力としてそのフィルターＲＸ−７に接続される。フィルターＲＸ−７の出力は、入力としてサンプル及びホールド回路ＲＸ−８に接続される。１／１６分割回路１０の出力は、入力としてサンプル及びホールド回路ＲＸ−８に接続される。サンプル及びホールド回路ＲＸ−８の出力は、適応回路２００の受信レベル基準ピンRX REF OUTに接続される。
【００９７】
適応回路のタイミングコンデンサーピンSLEEPは、入力としてスリープ回路及びシステム電源１１と接続される。適応回路２００の電源ピンVCC、VREFGND、及びGND入力としてスリープ回路及びシステム電源回路１１に接続される。増幅器ＲＸ−１への入力ＲＸ１及びＲＸ２は、入力としてスリープ回路及びシステム電源回路１１に接続される。スリープ回路及びシステム電源回路１１の出力は、バンドギャップ基準回路１２に接続される。
【００９８】
コントローラー３０２は、３２ビットアドレス指定可能なラッチ１をアドレス指定して処理することができ、それによって、適応回路２００内の４×４クロスポイントスイッチアレイ２及び１５０Ω抵抗分路アレイ３を制御する。クロスポイントスイッチアレイ２は、ライン１〜４によって図示されるように、アレイ３及びリレー１６６（図９）を通して４線式電話ベースポート１１２に接続された４つの入力ポートを持つ。１５０Ω抵抗分路アレイ３は、６つの切り替え可能な分路抵抗を含み、クロスポイントスイッチアレイ２入力ポートと平行に構成され、４ライン入力のいずれかの間に１５０Ω分路抵抗を提供可能である。
【００９９】
本発明の電話アクセサリー１０４（図１）及びインターフェース装置１００が最初に電話ベース１０８にプラグで接続されるとき、そのアクセサリーは、適切に操作しないことがある。なぜならば、それは、電話ベース１０８（図１）と電子的に通信するために、最適に構成されてないからである。電話交換局ダイアルトーンは、電話ベースユニット１０８によってポート１１６（図１及び２）のラインの２つに接続される。コントローラー３０２の制御下で、アドレス指定可能なラッチ１は、クロスポイントアレイ２を巧みに処理し、分路は、ＣＯダイアルトーンが受信チャネル内のコントロ−ラー３０２によって感知されるまで、ライン入力ポート（ライン１〜４）の連続的に結合する対によってアレイ３を選択する。この情報は、コントローラー３０２によってさらなる分析のためにラッチされる。
【０１００】
２つの受信ラインを通してＣＯダイアルトーンが検出されるのであるが、その受信ラインは周知の抵抗インピーダンスで限られる受信入力差動増幅器ＲＸ−１に接続される。好ましい実施の形態では、抵抗インピーダンスは、１ＫΩである。
【０１０１】
２８ｄＢエネルギー変化は、典型的に、商業的に利用可能な電話間に存在する。したがって、音声アプリケーションでは、電話ヘッドセット、又はある電話ベースユニットで作動するように構成される他のアクセサリーは、第２のベースユニットで使用されるとき不愉快に大きな音の信号を供給するか、あるいは、第３の電話ベースユニットで使用されるとき際だって静かであり得た。この問題を解決するために、差動増幅器ＲＸ−１の出力は、受信ステップ減衰器ＲＸ−２の入力に接続される。受信ステップ減衰器ＲＸ−２は、最初は最大の減衰を与えるために構成され、それから、予め決められた目標基準レベルがコントローラー３０２によって感知されるまで、４ｄＢの利得で受信信号を増加する。それによって、受信チャネル感度を等化する。受信ステップ減衰器ＲＸ−２は、３２ビットアドレス指定可能なラッチ１によって制御される受信入力マルチプレクサー５に接続される。コントローラー３０２は、ビットアドレス指定可能なラッチ１と受信入力マルチプレクサー５の両方を制御し、それによって、ステップ減衰器ＲＸ−２による減衰を調節する。
【０１０２】
等化された受信信号は、利得を固定するか、又はユーザー若しくはコントローラー３０２が電圧制御増幅器ＲＸ−３に接続されるポートRX VC INを通して受信信号の容量レベルを制御するのを許す電圧制御増幅器ＲＸ−３に接続される。自動レベル制御回路ＲＸ−５の出力は、また、電圧制御増幅器ＲＸ−３上のＡＬＣ制御入力に接続され、増幅器利得の制御を可能にする。
【０１０３】
自動レベル制御回路ＲＸ−５は、４０ｄＢのすべての全動的範囲でダイナミック出力制限システムとして振る舞う。自動レベル制御回路ＲＸ−５入力は、受信チャネルの出力レベルをサンプルし、図９に示されるように、ＡＬＣレベル調整回路２６０を用いて調整される選択可能な制限しきい値を持つ。自動レベル制御回路ＲＸ−５は、大きい、潜在的に有害な信号がユーザーに届くのを防ぐために、受信信号の出力レベルを予め決められたレベルに制限することができる。音声アプリケーションでは、ユーザーの耳は、自動レベル制御回路ＲＸ−５による高デシベル音を長く発することから守られるであろう。それによって、ユーザーの聴覚への潜在的ダメージを防ぐ。図７で示したＡＬＣタイミングコンデンサー２１４及び２１６は、ピンALC TC1及びALC TC2に接続され、ＡＬＣ回路ＲＸ−５の開始及び解放タイミング特性を調整するために用いられる。
【０１０４】
等化された受信信号は、受信ＶＣＡ  ＲＸ−３から出力され、音声又はデータインターフェースとの互換性のために、受信出力ポートRX OUTを介して駆動抵抗、容量性、及び誘導負荷の能力がある受信出力増幅器ＲＸ−４に入力として接続される。図９に示され、適応回路２００のピンRX FILT1に接続されるフィルティングコンデンサーＣ１４は、受信チャネル周波数応答を決定する。
【０１０５】
コントローラー３０２は、受信レベル基準ポートRX REF OUTを通して信号をサンプリングすることによって受信信号を監視する。コントローラー３０２のための受信信号サンプルは、受信ステップの出力で取得され、ダイアルトーンフィルターＲＸ−６、それからアンチエイリアスフィルターＲＸ−７によってフィルターされる。受信信号サンプルは、最終的に、受信レベル基準ポートRX REF OUTに与えられる前に、サンプル及びホールド回路ＲＸ−８に接続される。受信レベル基準ポートRX REF OUTは、コントローラー３０２のＡ／Ｄ入力に直接接続される。コントローラー３０２は、３２ビットアドレス指定可能なラッチ１を介して、ダイアルトーンフィルターＲＸ−６、アンチエイリアスフィルターＲＸ−７、並びに、サンプル及びホールド回路ＲＸ−８を制御し、ブロック７、８、９、及び１０に示されるクロック回路を用いてこれらの切り替えられるコンデンサーフィルターに同期させる。
【０１０６】
一度、受信ラインが決定され、チャネル感度が最適な性能に調整されると、次に送信ライン及び感度が決定される。選択された受信ラインに基づいて、一定の送信ライン構成の蓋然性が大であり、システムアルゴリズムにおいて優先順位を付けられる。
【０１０７】
電話ベースユニットのサイドトーン特性を利用して、コントローラー３０２は、送信チャネルの較正のための受信レベル基準ポートRX REF OUTを介して受信信号路を監視し続けるだろう。
【０１０８】
送信前置増幅器ＴＸ−２は、ユーザーの音声又はデータ入力信号のためのインターフェースとして用いられ、チャネル音を弱めるユーザー部に加えて、入力信号の前増幅を提供する。この音を弱めるステージが、ユーザーが送信路に異なる信号を挿入するのを防ぐために「学習」プロセスの間使用可能であることを注意されたい。送信前置増幅器ＴＸ−２の出力は、送信ＶＣＡ  ＴＸ−３及び送信伸長回路ＴＸ−４に接続される。
【０１０９】
「学習」手順の間、コントローラー３０２は、１ＫＨｚの送信較正信号を送信基準入力ポートTX REFINPUT内に生成する。１ＫＨｚの較正信号は、３２ビットアドレス指定可能なラッチ１及びこの故にコントローラー３０２によって制御される送信基準ローパスフィルターＴＸ−１に接続される。送信基準ローパスフィルターＴＸ−１は、較正信号の余分な調和をフィルターし、送信ＶＣＡ  ＴＸ−３及び送信伸長回路ＴＸ−４にその結果を出力する。
【０１１０】
伸長回路ＴＸ−４の入力は、送信前置増幅器ＴＸ−２及び送信基準ローパスフィルターＴＸ−１の出力に接続される。伸長回路ＴＸ−４は、望ましい信号から入力ノイズを区別する。伸長回路ＴＸ−４出力は、送信ＶＣＡ  ＴＸ−３の制御入力に接続され、不必要なバックグラウンドノイズに関連する送信ＶＣＡ利得を減衰することによって電子的ノイズリダクションを提供する。図９に示され、ピンXPND1及びXPND2に接続されるタイミングコンデンサーＣ１９、Ｃ２０は、伸長開始及び解放特性を決定するために用いられる。
【０１１１】
送信ＶＣＡ  ＴＸ−３は、送信前置増幅器ＴＸ−２及び送信基準ローパスフィルターＴＸ−１から入力を受信し、２つの主要な目的を実現する。送信ＶＣＡ  ＴＸ−３は、電子的ノイズリダクションを提供するために、送信伸長回路ＴＸ−４に関連して働き、任意の送信容量制御機能を介して正確なインターフェースマッチングを可能にするために、全送信チャネル出力レベル調整を提供する。送信容量制御スイッチ１２６は、図９に示される。送信ＶＣＡ  ＴＸ−４の出力は、送信出力ステップ減衰器ＴＸ−５に接続される。
【０１１２】
コントローラー３０２は、システムアルゴリズムに定義された最も可能性の高い対に送信出力ポートの対を連続的に接続することによって、クロスポイントスイッチアレイ２を巧みに操作し始める。システムのスイッチングアルゴリズムを示す記述は、図４及び５に詳細に示される。１ＫＨｚの送信較正信号は、それゆえ、その１ＫＨｚの信号が受信レベル基準出力RX REF OUTでコントローラー３０２によって検知されるまで、ポート１１６を介して電話ベースユニット１０８（図１）に適用される。コントローラー３０２が１ＫＨｚの信号を検知するとき、それは、適切な送信ラインを首尾よく見つけ、その情報をラッチし、送信出力ステップ減衰器ＴＸ−５の調整を始める。
【０１１３】
送信ライン感度で４９ｄＢの変動は、商業的に利用可能な電話ベースユニット間に存在する。正確な感度インターフェースマッチは、様々な電話ベースユニットで送信信号の最適なパフォーマンスのために不可欠である。この問題を解決するために、送信ＶＣＡ  ＴＸ−３の信号出力は、送信出力レベルをもたらす送信出力ステップ減衰器ＴＸ−５に接続される。送信出力ステップ減衰器ＴＸ−５は、３２ビットアドレス指定可能なラッチ１によって制御され、それゆえコントローラー３０２によって制御される送信出力マルチプレクサー６に接続される。コントローラー３０２は、予め決定された１ＫＨｚ目標基準レベルがコントローラー３０２によって検知されるまで、７ｄＢ増加で送信ステップ減衰器ＴＸ−５を調整し、それによって、送信チャネル感度を適切なレベルに等化する。送信出力ステップ減衰器ＴＸ−５の信号出力は、送信出力増幅器ＴＸ−６に接続される。
【０１１４】
送信出力増幅器ＴＸ−６は、電圧若しくは電流ドライブ出力及び駆動抵抗、容量性、若しくは誘導負荷を提供する能力がある。カップリングコンデンサーC24A1及びC24B1は、送信入力ピンTX1 INを通してピンTX OUTからクロスポイントスイッチアレイ２に送信出力信号を結合する。図９に示され、ピンTXFILT1及びTX FILT2に接続されるフィルタリングコンデンサーＣ１５、Ｃ２３は、送信チャネル周波数応答を決定するために用いられる。
【０１１５】
電源１１のバッテリー耐用年数を節約するために、適応回路２００は、電源１１内にスリープ回路を含む。スリープ回路１１は、ＶＣＣポートとメインＩＣブロック電源の間に接続される。スリープ回路制御入力は、受信差動増幅器ＲＸ−１の入力RX1及びRX2に接続される。もし、受信ライン上の入ってくる広帯域ノイズがあるレベル、好ましくは−７７ｄＢＶ以下に落ちるならば、スリープ回路は、図９に示されるスリープタイミングコンデンサーＣ２７の値によって決定されるタイミングシーケンスを始める。広帯域受信信号がプログラムされた時間枠内で−７７ｄＢＶしきい値の限界を超えないならば、適応回路２００は、スリープモードに移行し、電源を落とす。広帯域受信信号が−７７ｄＢＶしきい値を越えるとき、スリープタイミングシーケンスはリセットし、アナログ集積回路は、５ミリ秒（ｍｓ）以内に「目覚める」。
【０１１６】
図１０に示されるように、SLP1及びSLP2端子は、スリープ回路及びシステム電源１１に接続される。図９に示されるコンデンサーＣ２５は、スリープ回路及びシステム電源１１から内部直流オフセットを取り除く。
【０１１７】
適応回路２００のための好ましい実施の形態は、主要回路電源として供給するために、ピンＶＣＣに直接接続され得るあらゆる都合のよい電源によっても電力を供給される。バンドギャップ基準回路１２は、適応回路２００で内的に、及び、コントローラー３０２及びＶＣＡ制御電圧に外的に使用するための安定した基準電圧を発生させる。
【０１１８】
４×４クロスポイントスイッチアレイ２及び１５０Ω分路程アレイ３のブロック図が、図１１に示される。クロスポイントスイッチアレイは、どんなオーダー及び極性でも、ライン１〜４を２つの送信チャネル及び２つの受信チャネルに接続するために設計されたアナログスイッチの４×４マトリックスからなる。それは、ビットアドレス指定可能なラッチ１を通して、上述のように適切な送信及び受信ラインが決定されるコントローラー３０２の制御下に置かれる。
【０１１９】
電話器の信号特性がインターフェース装置１００によってぴったりとマッチするので、モデム、ファックスモデム、又はファクシミリ機がポート１２８（図１）に接続されるとき、データレートは、高くなり得る。例えば、データレートは、５６Ｋｂｐｓ（Kilobits per second）と同じ程度高くてもよい。加えて、インターフェース装置１００は、テレビ会議装置のような音声電話器がポート１２８に接続されるとき、改善された音質を提供する。さらに、これらの利点は、データ又は音声信号をハンドセットポート１１２（図１）と通信する電話器とインターフェースで接続するのに適応し、そのような電話器に様々な異なる信号特性を持つ電話器とインターフェースで接続するのに適した単一のインターフェース装置１００によって達成される。
【０１２０】
本発明は、発明の構成及び操作の原理の理解を容易にするために、詳細を具体化した特定の実施の形態に関して記述された。特定の実施の形態及びそれについての詳細へのここでのそのような言及は、ここに添付されるクレームの範囲を限定するように意図されない。改良が、本発明の範囲から逸脱することなく、例証のために選択された実施の形態においてなされてもよいことは当業者にとって明白なことである。特に、本発明の方法が複数の異なる方法で実行され得、上記に開示された装置が本発明の好ましい実施の形態を例証するだけであって、決して制限するものではないことは、その技術分野の通常の知識を有する者にとって明白である。
【図面の簡単な説明】
【図１】  図１は、電話器と２線式アナログ電話器に接続される本発明におけるインターフェース装置の斜視図を示す。
【図２】  図２は、本発明におけるインターフェース装置の概略的なブロック図を示す。
【図３】  図３は、「電話交換局（ＣＯ）ダイアルトーン学習シーケンス」のフローモデルを図示する。
【図４】  図４は、「自動化された８００学習方法」のフローモデルを図示する。
【図５】  図５は、本発明の「自動化された８００学習方法」及び「手動８００学習方法」に用いられるＳＩＴデータ送信テクニックの図を示す。
【図６】  図６は、システムのためのスイッチングアルゴリズムを図示する。
【図７】  図７は、図６のスイッチングアルゴリズムの続きである。
【図８】  図８は、電話交換局と本発明のインターフェース装置の両方に関連するように、典型的な電話インターフェース構成の調節され及び調節されていない一部のブロック図を示す。
【図９】  図９は、フルカスタムアナログ及びセミカスタムデジタルマイクロコントロ−ラー集積回路を含むインターフェース装置の概略的なブロック図を示す。
【図１０】  図１０は、本発明のフルカスタムアナログ集積回路のブロック図を示す。
【図１１】  図１１は、４×４クロスポイントスイッチ及び分路抵抗アレイのブロック図を示す。
【図１】
0004127965.tif 000002
【図２】
0004127965.tif 000003
【図３】
0004127965.tif 000004
【図４】
0004127965.tif 000005
【図５】
0004127965.tif 000006
【図６】
0004127965.tif 000007
【図７】
0004127965.tif 000008
【図８】
0004127965.tif 000009
【図９】
0004127965.tif 000010
0004127965.tif 000011
0004127965.tif 000012
0004127965.tif 000013
【図１０】
0004127965.tif 000014
【図１１】
0004127965.tif 000015